(57)【特許請求の範囲】
【請求項１】
ユーザアカウントにバインディングされた少なくとも１つのスマートデバイスのデバイス情報を取得するステップと、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュするステップと、
取得したユーザアカウントに対応するシーンモードの選択情報に基づいて、前記ユーザアカウントにバインディングされたシーンモードを設定するステップとを含み、
前記シーンモードは、少なくとも１つの第１スマートデバイスにより収集された状態パラメータ情報に基づいて、少なくとも１つの第２スマートデバイスに対して操作制御を行うようにトリガする関連関係を記憶し、
前記シーンモードは、少なくともユーザアカウント情報、バインディングされたスマートデバイスのデバイス情報、起動条件及び実行タスクを含み、
前記デバイス情報は、少なくともデバイスＩＤ情報及びデバイス種類情報を含み、
前記シーンモードテンプレートは、前記スマートデバイスの設備種類に基づいて設計され、
前記バインディングされたスマートデバイスのデバイス情報は、前記ユーザアカウントにバインディングされた少なくとも１つの第１スマートデバイスのデバイス情報、及び少なくとも１つの第２スマートデバイスのデバイス情報を含み、
前記シーンモードテンプレートは、少なくともバインディングされたスマートデバイスのデバイス種類情報、及び対応するシーンモードの前記起動条件及び実行タスクを含み、
前記バインディングされたスマートデバイスのデバイス種類情報は、対応するシーンモードのうち、少なくとも１つの第１スマートデバイス及び少なくとも１つの第２スマートデバイスのデバイス種類情報を含む
ことを特徴とするスマートデバイス用シーンモード推奨方法。
【請求項２】
前記起動条件は、前記シーンモードをトリガする条件として設定された前記少なくとも１つの第１スマートデバイスにより収集された状態パラメータ情報であり、
前記実行タスクは、前記シーンモードをトリガする時、前記少なくとも１つの第２スマートデバイスに出力する対応制御指令である
ことを特徴とする請求項１に記載のスマートデバイス用シーンモード推奨方法。
【請求項３】
前記ユーザアカウントにバインディングされた少なくとも１つのスマートデバイスのデバイス情報を取得するステップは、ユーザアカウントのユーザアカウント情報及び前記ユーザアカウントにバインディングされた少なくとも１つのスマートデバイスのデバイス情報を取得するステップを含み、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュするステップは、取得した前記ユーザアカウントにバインディングされた少なくとも１つのスマートデバイスのデバイス種類情報に基づいて、シーンモードテンプレートの前記バインディングされたスマートデバイスのデバイス種類情報及びマッチング可能なシーンモードテンプレートを選択し、前記ユーザアカウントにプッシュするステップを含み、
前記取得したユーザアカウントに対応するシーンモードの選択情報に基づいて、前記ユーザアカウントにバインディングされたシーンモードを設定するステップは、取得したユーザアカウントに対応するシーンモードテンプレートの選択情報に基づいて、前記シーンモードテンプレートに対応するシーンモードをユーザアカウントにバインディングするように設定するステップを含み、
前記設定されたシーンモードは、前記取得したユーザアカウントにバインディングされた少なくとも１つのスマートデバイスのデバイス情報に基づいて、配置される
ことを特徴とする請求項２に記載のスマートデバイス用シーンモード推奨方法。
【請求項４】
ユーザアカウントにバインディングされた少なくとも１つのスマートデバイスのデバイス情報を取得するためのデバイス情報取得モジュールと、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュするためのシーンモードテンプレート推奨モジュールと、
取得したユーザアカウントに対応するシーンモードの選択情報に基づいて、前記ユーザアカウントにバインディングされたシーンモードを設定するためのシーンモード設定モジュールと、を備え、
前記シーンモードは、少なくとも１つの第１スマートデバイスにより収集された状態パラメータ情報に基づいて、少なくとも１つの第２スマートデバイスに対して操作制御を行うようにトリガする関連関係を記憶し、
前記シーンモードは、少なくともユーザアカウント情報、バインディングされたスマートデバイスのデバイス情報、起動条件及び実行タスクを含み、
前記デバイス情報は、少なくともデバイスＩＤ情報及びデバイス種類情報を含み、
前記シーンモードテンプレートは、前記スマートデバイスの設備種類に基づいて設計され、
前記バインディングされたスマートデバイスのデバイス情報は、前記ユーザアカウントにバインディングされた少なくとも１つの第１スマートデバイスのデバイス情報、及び少なくとも１つの第２スマートデバイスのデバイス情報を含み、
前記シーンモードテンプレートは、少なくともバインディングされたスマートデバイスのデバイス種類情報、及び対応するシーンモードの前記起動条件及び実行タスクを含み、
前記バインディングされたスマートデバイスのデバイス種類情報は、対応するシーンモードのうち、少なくとも１つの第１スマートデバイス及び少なくとも１つの第２スマートデバイスのデバイス種類情報を含む
ことを特徴とするスマートデバイス用シーンモード推奨装置。
【請求項５】
前記起動条件は、前記シーンモードをトリガする条件として設定された前記少なくとも１つの第１スマートデバイスにより収集された状態パラメータ情報であり、
前記実行タスクは、前記シーンモードをトリガする時、前記少なくとも１つの第２スマートデバイスに出力する対応制御指令である
ことを特徴とする請求項４に記載のスマートデバイス用シーンモード推奨装置。
【請求項６】
前記デバイス情報取得モジュールは、ユーザアカウントのユーザアカウント情報及び前記ユーザアカウントにバインディングされた少なくとも１つのスマートデバイスのデバイス情報を取得し、
前記シーンモードテンプレート推奨モジュールは、取得した前記ユーザアカウントにバインディングされた少なくとも１つのスマートデバイスのデバイス種類情報に基づいて、シーンモードテンプレートの前記バインディングされたスマートデバイスのデバイス種類情報及びマッチング可能なシーンモードテンプレートを選択し、前記ユーザアカウントにプッシュし、
前記シーンモード設定モジュールは、取得したユーザアカウントに対応するシーンモードテンプレートの選択情報に基づいて、前記シーンモードテンプレートに対応するシーンモードをユーザアカウントにバインディングするように設定し、
前記設定されたシーンモードは、前記取得したユーザアカウントにバインディングされた少なくとも１つのスマートデバイスのデバイス情報に基づいて、配置される
ことを特徴とする請求項５に記載のスマートデバイス用シーンモード推奨装置。
【請求項７】
プロセッサと、
前記プロセッサにより実行可能な指令を記憶するメモリを含み、
前記プロセッサは、
ユーザアカウントにバインディングされた少なくとも１つのスマートデバイスのデバイス情報を取得し、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュし、
取得したユーザアカウントに対応するシーンモードの選択情報に基づいて、前記ユーザアカウントにバインディングされたシーンモードを設定し、
前記シーンモードは、少なくとも１つの第１スマートデバイスにより収集された状態パラメータ情報に基づいて、少なくとも１つの第２スマートデバイスに対して操作制御を行うようにトリガする関連関係を記憶し、
前記シーンモードは、少なくともユーザアカウント情報、バインディングされたスマートデバイスのデバイス情報、起動条件及び実行タスクを含み、
前記デバイス情報は、少なくともデバイスＩＤ情報及びデバイス種類情報を含み、
前記シーンモードテンプレートは、前記スマートデバイスの設備種類に基づいて設計され、
前記バインディングされたスマートデバイスのデバイス情報は、前記ユーザアカウントにバインディングされた少なくとも１つの第１スマートデバイスのデバイス情報、及び少なくとも１つの第２スマートデバイスのデバイス情報を含み、
前記シーンモードテンプレートは、少なくともバインディングされたスマートデバイスのデバイス種類情報、及び対応するシーンモードの前記起動条件及び実行タスクを含み、
前記バインディングされたスマートデバイスのデバイス種類情報は、対応するシーンモードのうち、少なくとも１つの第１スマートデバイス及び少なくとも１つの第２スマートデバイスのデバイス種類情報を含む
ことを特徴とするシーンモード推奨装置。
【請求項８】
プロセッサに実行されることにより、請求項１〜３のいずれか１項に記載のスマートデバイス用シーンモード推奨方法を実現することを特徴とするプログラム。
【請求項９】
請求項８に記載のプログラムが記録された記録媒体。
【発明の詳細な説明】
【技術分野】
【０００１】
本願は、出願番号がＣＮ２０１４１０５９４８０７．２であって、出願日が２０１４年１０月２９日である中国特許出願に基づき優先権を主張し、当該中国特許出願のすべての内容を本願に援用する。
【０００２】
本開示は、スマートインテリア制御技術分野に関し、特に、スマートデバイス用シーンモード推奨方法、スマートデバイス用シーンモード推奨装置、シーンモードに基づくスマートデバイス制御方法、シーンモードに基づくスマートデバイス制御装置、プログラム及び記録媒体に関する。
【背景技術】
【０００３】
近年、家電設備は、人々の日常生活の中に必要不可欠の電気設備となっている。従来の家電設備は、主に、タッチボタン操作または赤外線リモコンによる遠隔操作で制御される。時代の発展に伴い、このような従来の制御モードで操作する家電は、人々の家電の制御要望を満足することができなくなった。
【０００４】
このような状況を鑑みて、スマートインテリアのコンセプトが提出された。スマートインテリアとは、いわゆる住宅をベースとして、総合配線技術、ネット通信技術、安全防犯技術、自動制御技術、及び音声映像技術を用いて住宅のインテリアの関連設備に統合することで、住宅設備及び家庭スケジュール事項の効率的な管理システムを構築することができ、住宅の安全性、利便性、快適性、芸術性を高め、さらに、環境を配慮したエコの住宅環境を提供することができる。このコンセプトは、家電製品の将来に発展する必然のトレントであると広く考えられる。
【発明の概要】
【発明が解決しようとする課題】
【０００５】
本開示の実施例は、スマートデバイス用シーンモード推奨方法、スマートデバイス用シーンモード推奨装置、シーンモードに基づくスマートデバイス制御方法、シーンモードに基づくスマートデバイス制御装置、プログラム及び記録媒体を提供する。下記において、このスマートデバイス用シーンモード推奨方法、スマートデバイス用シーンモード推奨装置、シーンモードに基づくスマートデバイス制御方法、シーンモードに基づくスマートデバイス制御装置、プログラム及び記録媒体を説明する。
【課題を解決するための手段】
【０００６】
本開示の実施例の第１態様によるスマートデバイス用シーンモード推奨方法は、
ユーザアカウントにバインディングされた少なくとも１つのスマートデバイスのデバイス情報を取得するステップと、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュするステップと、
取得したユーザアカウントに対応するシーンモードの選択情報に基づいて、前記ユーザアカウントにバインディングされたシーンモードを設定するステップとを含み、
前記シーンモードは、少なくとも１つの第１スマートデバイスにより収集された状態パラメータ情報に基づいて、少なくとも１つの第２スマートデバイスに対して操作制御を行うようにトリガする関連関係を記憶する。
【０００７】
選択的に、前記シーンモードは、少なくともユーザアカウント情報、バインディングされたスマートデバイスのデバイス情報、起動条件及び実行タスクを含み、
前記バインディングされたスマートデバイスのデバイス情報は、前記ユーザアカウントにバインディングされた少なくとも１つの第１スマートデバイスのデバイス情報、及び少なくとも１つの第２スマートデバイスのデバイス情報を含み、
前記起動条件は、前記シーンモードをトリガする条件として設定された前記少なくとも１つの第１スマートデバイスにより収集された状態パラメータ情報であり、
前記実行タスクは、前記シーンモードをトリガする時、前記少なくとも１つの第２スマートデバイスに出力する対応制御指令である。
【０００８】
選択的に、前記デバイス情報は、少なくともデバイスＩＤ情報及びデバイス種類情報を含み、
前記シーンモードテンプレートは、少なくともバインディングされたスマートデバイスのデバイス種類情報、及び対応するシーンモードの前記起動条件及び実行タスクを含み、
前記バインディングされたスマートデバイスのデバイス種類情報は、対応するシーンモードのうち、少なくとも１つの第１スマートデバイス及び少なくとも１つの第２スマートデバイスのデバイス種類情報を含む。
【０００９】
選択的に、前記ユーザアカウントにバインディングされた少なくとも１つのスマートデバイスのデバイス情報を取得するステップは、ユーザアカウントのユーザアカウント情報及び前記ユーザアカウントにバインディングされた少なくとも１つのスマートデバイスのデバイス情報を取得するステップを含み、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュするステップは、取得した前記ユーザアカウントにバインディングされた少なくとも１つのスマートデバイスのデバイス種類情報に基づいて、シーンモードテンプレートの前記バインディングされたスマートデバイスのデバイス種類情報及びマッチング可能なシーンモードテンプレートを選択し、前記ユーザアカウントにプッシュするステップを含み、
前記取得したユーザアカウントに対応するシーンモードの選択情報に基づいて、前記ユーザアカウントにバインディングされたシーンモードを設定するステップは、取得したユーザアカウントに対応するシーンモードテンプレートの選択情報に基づいて、前記シーンモードテンプレートに対応するシーンモードをユーザアカウントにバインディングするように設定するステップを含み、
前記設定されたシーンモードは、前記取得したユーザアカウントにバインディングされた少なくとも１つのスマートデバイスのデバイス情報に基づいて、配置される。
【００１０】
本開示実施例の第２態様によるシーンモードに基づくスマートデバイス制御方法は、
ユーザアカウントにバインディングされた少なくとも１つの第１スマートデバイスにより収集された状態パラメータ情報を取得するステップと、
前記状態パラメータ情報に基づいて、所定のシーンモードをトリガするか否かを判断するステップと、
前記シーンモードがトリガされると、前記シーンモードに基づいて、前記ユーザアカウントにバインディングされた少なくとも１つの第２スマートデバイスに該当する制御指令を出力することで、前記第２スマートデバイスに対応する操作を行わせるように制御するステップと、を含み、
前記シーンモードは、前記少なくとも１つの第１スマートデバイスにより収集された状態パラメータ情報に基づいて、前記少なくとも１つの第２スマートデバイスに対して操作制御を行うようにトリガする関連関係を記憶する。
【００１１】
選択的に、前記シーンモードは、少なくともユーザアカウント情報、バインディングされたスマートデバイスのデバイス情報、起動条件及び実行タスクを含み、
前記バインディングされたスマートデバイスのデバイス情報は、前記ユーザアカウントにバインディングされた少なくとも１つの第１スマートデバイスのデバイス情報、及び少なくとも１つの第２スマートデバイスのデバイス情報を含み、
前記起動条件は、前記シーンモードをトリガする条件として設定された前記少なくとも１つの第１スマートデバイスにより収集された状態パラメータ情報であり、
前記実行タスクは、前記シーンモードをトリガする時、前記少なくとも１つの第２スマートデバイスに出力する対応制御指令である。
【００１２】
選択的に、前記シーンモードは、さらに、起動条件ロジック関係を含み、
前記起動条件ロジック関係は、前記シーンモードをトリガする条件としての各前記第１スマートデバイスにより収集された状態パラメータ情報の間のロジック関係を示し、
前記状態パラメータ情報に基づいて、所定のシーンモードをトリガするか否かを判断するステップは、前記状態パラメータ情報に基づいて、前記少なくとも１つの第１スマートデバイスにより収集された状態パラメータ情報の間に前記起動条件ロジック関係が満たされるか否かを判断し、前記起動条件ロジック関係が満たされると、前記シーンモードをトリガするステップを含む。
【００１３】
選択的に、前記シーンモードは、さらに、条件タスク対照表を含み、
前記条件タスク対照表は、少なくとも一組の前記起動条件と実行タスクとの間の対応関係を記憶し、
前記状態パラメータ情報に基づいて、所定のシーンモードをトリガするか否かを判断するステップは、
前記状態パラメータ情報に基づいて、前記少なくとも１つの第１スマートデバイスにより収集された状態パラメータ情報が、前記条件タスク対照表の少なくとも一組の起動条件を満たすか否かを判断するステップと、
前記条件タスク対照表の少なくとも一組の起動条件を満たした場合、前記条件タスク対照表に基づいて、当該起動条件に対応する実行タスクをトリガするステップと、を含む。
【００１４】
本開示実施例の第３態様によるスマートデバイス用シーンモード推奨装置は、
ユーザアカウントにバインディングされた少なくとも１つのスマートデバイスのデバイス情報を取得するためのデバイス情報取得モジュールと、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュするためのシーンモードテンプレート推奨モジュールと、
取得したユーザアカウントに対応するシーンモードの選択情報に基づいて、前記ユーザアカウントにバインディングされたシーンモードを設定するためのシーンモード設定モジュールと、を備え、
前記シーンモードは、少なくとも１つの第１スマートデバイスにより収集された状態パラメータ情報に基づいて、少なくとも１つの第２スマートデバイスに対して操作制御を行うようにトリガする関連関係を記憶する。
【００１５】
選択的に、前記シーンモードは、少なくともユーザアカウント情報、バインディングされたスマートデバイスのデバイス情報、起動条件及び実行タスクを含み、
前記バインディングされたスマートデバイスのデバイス情報は、前記ユーザアカウントにバインディングされた少なくとも１つの第１スマートデバイスのデバイス情報、及び少なくとも１つの第２スマートデバイスのデバイス情報を含み、
前記起動条件は、前記シーンモードをトリガする条件として設定された前記少なくとも１つの第１スマートデバイスにより収集された状態パラメータ情報であり、
前記実行タスクは、前記シーンモードをトリガする時、前記少なくとも１つの第２スマートデバイスに出力する対応制御指令である。
【００１６】
選択的に、前記デバイス情報は、少なくともデバイスＩＤ情報及びデバイス種類情報を含み、
前記シーンモードテンプレートは、少なくともバインディングされたスマートデバイスのデバイス種類情報、及び対応するシーンモードの前記起動条件及び実行タスクを含み、
前記バインディングされたスマートデバイスのデバイス種類情報は、対応するシーンモードのうち、少なくとも１つの第１スマートデバイス及び少なくとも１つの第２スマートデバイスのデバイス種類情報を含む。
【００１７】
選択的に、前記デバイス情報取得モジュールは、ユーザアカウントのユーザアカウント情報及び前記ユーザアカウントにバインディングされた少なくとも１つのスマートデバイスのデバイス情報を取得し、
前記シーンモードテンプレート推奨モジュールは、取得した前記ユーザアカウントにバインディングされた少なくとも１つのスマートデバイスのデバイス種類情報に基づいて、シーンモードテンプレートの前記バインディングされたスマートデバイスのデバイス種類情報及びマッチング可能なシーンモードテンプレートを選択し、前記ユーザアカウントにプッシュし、
前記シーンモード設定モジュールは、取得したユーザアカウントに対応するシーンモードテンプレートの選択情報に基づいて、前記シーンモードテンプレートに対応するシーンモードをユーザアカウントにバインディングするように設定し、
前記設定されたシーンモードは、前記取得したユーザアカウントにバインディングされた少なくとも１つのスマートデバイスのデバイス情報に基づいて、配置される。
【００１８】
本開示実施例の第４態様によるシーンモードに基づくスマートデバイスの制御装置は、
ユーザアカウントにバインディングされた少なくとも１つの第１スマートデバイスにより収集された状態パラメータ情報を取得するための状態パラメータ情報取得モジュールと、
前記状態パラメータ情報に基づいて、所定のシーンモードをトリガするか否かを判断するためのシーンモードトリガモジュールと、
前記シーンモードがトリガされると、前記シーンモードに基づいて、前記ユーザアカウントにバインディングされた少なくとも１つの第２スマートデバイスに該当する制御指令を出力することで、前記第２スマートデバイスに対応する操作を行わせるように制御するための制御指令送信モジュールと、を備える。
【００１９】
前記シーンモードは、前記少なくとも１つの第１スマートデバイスにより収集された状態パラメータ情報に基づいて、前記少なくとも１つの第２スマートデバイスに対して操作制御を行うようにトリガする関連関係を記憶する。
【００２０】
選択的に、前記シーンモードは、少なくともユーザアカウント情報、バインディングされたスマートデバイスのデバイス情報、起動条件及び実行タスクを含み、
前記バインディングされたスマートデバイスのデバイス情報は、前記ユーザアカウントにバインディングされた少なくとも１つの第１スマートデバイスのデバイス情報、及び少なくとも１つの第２スマートデバイスのデバイス情報を含み、
前記起動条件は、前記シーンモードをトリガする条件として設定された前記少なくとも１つの第１スマートデバイスにより収集された状態パラメータ情報であり、
前記実行タスクは、前記シーンモードをトリガする時、前記少なくとも１つの第２スマートデバイスに出力する対応制御指令である。
【００２１】
選択的に、前記シーンモードは、さらに、起動条件ロジック関係を含み、
前記起動条件ロジック関係は、前記シーンモードをトリガする条件としての各前記第１スマートデバイスにより収集された状態パラメータ情報の間のロジック関係を示し、
前記シーンモードトリガモジュールは、前記状態パラメータ情報に基づいて、前記少なくとも１つの第１スマートデバイスにより収集された状態パラメータ情報の間に前記起動条件ロジック関係が満たされるか否かを判断し、前記起動条件ロジック関係が満たされると、前記シーンモードをトリガするためのロジック関係判断ユニットを備える。
【００２２】
選択的に、前記シーンモードは、さらに、条件タスク対照表を含み、
前記条件タスク対照表は、少なくとも一組の前記起動条件と実行タスクとの間の対応関係を記憶し、
前記シーンモードトリガモジュールは、前記状態パラメータ情報に基づいて、前記少なくとも１つの第１スマートデバイスにより収集された状態パラメータ情報が、前記条件タスク対照表の少なくとも一組の起動条件を満たすか否かを判断し、前記条件タスク対照表の少なくとも一組の起動条件を満たした場合、前記条件タスク対照表に基づいて、当該起動条件に対応する実行タスクをトリガするための条件タスク対照表照合ユニットを備える。
【００２３】
本開示実施例の第５態様によるシーンモード推奨装置は、
プロセッサと、
前記プロセッサにより実行可能な指令を記憶するメモリを含み、
前記プロセッサは、
ユーザアカウントにバインディングされた少なくとも１つのスマートデバイスのデバイス情報を取得し、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュし、
取得したユーザアカウントに対応するシーンモードの選択情報に基づいて、前記ユーザアカウントにバインディングされたシーンモードを設定し、
前記シーンモードは、少なくとも１つの第１スマートデバイスにより収集された状態パラメータ情報に基づいて、少なくとも１つの第２スマートデバイスに対して操作制御を行うようにトリガする関連関係を記憶する。
【００２４】
本開示実施例の第６態様によるスマートデバイス制御装置は、
プロセッサと、
前記プロセッサにより実行可能な指令を記憶するメモリを含み、
前記プロセッサは、
ユーザアカウントにバインディングされた少なくとも１つの第１スマートデバイスにより収集された状態パラメータ情報を取得し、
前記状態パラメータ情報に基づいて、所定のシーンモードをトリガするか否かを判断し、
前記シーンモードがトリガされると、前記シーンモードに基づいて、前記ユーザアカウントにバインディングされた少なくとも１つの第２スマートデバイスに該当する制御指令を出力することで、前記第２スマートデバイスに対応する操作を行わせるように制御し、
前記シーンモードは、前記少なくとも１つの第１スマートデバイスにより収集された状態パラメータ情報に基づいて、前記少なくとも１つの第２スマートデバイスに対して操作制御を行うようにトリガする関連関係を記憶する。
【００２５】
本開示実施例の第７態様によるプログラムは、プロセッサに実行されることにより、前記スマートデバイス用シーンモード推奨方法及びシーンモードに基づくスマートデバイス制御方法を実現する。
【００２６】
本開示実施例の第８態様による記録媒体は、前記プログラムを記録した。
【発明の効果】
【００２７】
本開示の実施例による技術案は、以下の有益な効果を奏することができる。
【００２８】
本開示は、スマートデバイス用シーンモード推奨方法を提供する。サーバにおいて予めいくつかのシーンモードテンプレートを設定し、各シーンモードテンプレートは、１つのシーンモードに対応する。サーバは、取得したユーザアカウントにバインディングされたスマートデバイスのデバイス情報に基づいて、このユーザアカウントに適切なシーンモードテンプレートを特定し、ユーザアカウントにマッチングするシーンモードテンプレートをプッシュする。ユーザアカウントの選択により、最終的にシーンモードの設定を完成する。この方法によると、ユーザは、自分自身にバインディングされたスマートデバイスに基づいて、便利、且つ迅速にシーンモードを設置することができ、具体的な関連関係を設計する設定に参与しなくてもよい。これにより、ユーザが具体的なシーンモードを設計する負担を軽減することができる。
【００２９】
以上の一般的な記述及び以下の詳細な記述は、例示のものに過ぎず、本開示を限定するものではないと理解すべきである。
【図面の簡単な説明】
【００３０】
本開示の実施例をより明確に説明するために、下記において実施例の説明に用いられる図面について簡単に説明する。ここでの図面は、明細書の一部分として明細書全体を構成することにより、本開示に合致する実施例を例示するとともに、明細書を結合し本開示の原理を解釈するためのものである。
【図１】一例示的な実施例によるスマートデバイス用シーンモード推奨方法を示すフローチャートである。
【図２Ａ】一例示的な実施例によるシーンモード推奨の画面表示例１を示す図である。
【図２Ｂ】一例示的な実施例によるシーンモード推奨の画面表示例２を示す図である。
【図３】一例示的な実施例によるシーンモードに基づくスマートデバイス制御方法を示すフローチャートである。
【図４】一例示的な実施例によるスマートデバイス用シーンモード推奨装置を示す模式図である。
【図５】一例示的な実施例によるシーンモードに基づくスマートデバイス制御装置を示す模式図である。
【図６】一例示的な実施例によるスマートデバイス用シーンモード推奨装置を示すブロック図である。
【００３１】
本開示について、上記図面で明確な実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００３２】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３３】
本開示において、電子設備は、携帯電話、タブレットＰＣ、電子書籍リーダー、ＭＰ３（ＭｏｖｉｎｇＰｉｃｔｕｒｅ  Ｅｘｐｅｒｔｓ  Ｇｒｏｕｐ  Ａｕｄｉｏ  Ｌａｙｅｒ  ＩＩＩ）プレーヤー、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ラップトップ型ポータブルコンピュータ、デスクトップ型コンピュータなどであってもよい。
【００３４】
図１は、本開示の一例示的な実施例によるスマートデバイス用シーンモード推奨方法を示すフローチャートである。本実施例において、この推奨方法をサーバに適用した例を挙げて説明する。スマートシーンモード推奨方法は、下記のステップを含む。
【００３５】
ステップ１０２において、ユーザアカウントにバインディングされた少なくとも１つのスマートデバイスのデバイス情報を取得する。
【００３６】
ステップ１０４において、前記少なくとも１つのスマートデバイスのデバイス情報に基づいて、前記少なくとも１つのスマートデバイスのデバイス情報とマッチングする所定の少なくとも１つのシーンモードテンプレートを、前記ユーザアカウントにプッシュする。前記シーンモードテンプレートは、１つのシーンモードに対応し、前記シーンモードは、少なくとも１つの第１スマートデバイスにより収集された状態パラメータ情報に基づいて、少なくとも１つの第２スマートデバイスに対して操作制御を行うようにトリガする関連関係を記憶するためのものである。
【００３７】
ステップ１０６において、取得したユーザアカウントに対応するシーンモードの選択情報に基づいて、前記ユーザアカウントにバインディングされたシーンモードを設定する。
【００３８】
上記したように、本実施例は、スマートデバイス用シーンモード推奨方法を提供する。このシーンモードを媒介とすることで、異なるスマートデバイスを関連付け、異なるスマートデバイスがシーンモードの設定した関連関係に基づいて、自動的に連動制御を行うことができる。このシーンモード推奨方法は、サーバにおいて予めいくつかのシーンモードテンプレートを設定し、各シーンモードテンプレートは、１つのシーンモードに対応する。サーバは、取得したユーザアカウントにバインディングされたスマートデバイスのデバイス情報に基づいて、このユーザアカウントに適切なシーンモードテンプレートを特定し、ユーザアカウントにマッチングするシーンモードテンプレートをプッシュする。ユーザアカウントの選択により、最終的にシーンモードの設定を完成する。この方法によると、ユーザは、自分自身にバインディングされたスマートデバイスに基づいて、便利、且つ迅速にシーンモードを設置することができ、具体的な関連関係を設計する設定に参与しなくてもよい。これにより、ユーザが具体的なシーンモードを設計する負担を軽減することができる。
【００３９】
ここで、シーンモードテンプレートについて、サーバにより予め設定されることで、ユーザが選択してもよく、他のユーザにより設計及びアップロードされたシーンモードテンプレートを使用することで、ユーザ同士がシーンモードテンプレートを共有してもよい。
【００４０】
本実施例において、前記スマートデバイスは、スマートインテリア設備である。ここで、このシーンモード推奨方法は、より高い拡張性及び互換性を持ち、インターネット接続機能を有するスマートデバイスであれば、本実施例により提供されるシーンモード推奨方法を採用することができる。
【００４１】
前記シーンモードは、少なくともユーザアカウント情報、バインディングされたスマートデバイスのデバイス情報、起動条件と実行タスクを含む。
【００４２】
バインディングされたスマートデバイスのデバイス情報は、前記ユーザアカウントにバインディングされた少なくとも１つの第１スマートデバイスのデバイス情報と少なくとも１つの第２スマートデバイスのデバイス情報を含む。前記デバイス情報は、デバイスＩＤ情報とデバイス種類情報を含むことができる。前記デバイスＩＤ情報は、設備のＭＡＣアドレス、ＩＰアドレス、デバイスシリアル番号等であってもよい。前記デバイス種類情報は、デバイスの種類を示す情報である。例えば、スマート電源コンセント、スマートカメラ、スマートテレビ、スマートエアコン等の種類である。異なる種類のデバイスは、異なる状態パラメータ情報を収集することができ、異なる制御指令に対応する。
【００４３】
前記起動条件は、前記シーンモードをトリガする条件として設定された前記少なくとも１つの第１スマートデバイスにより収集された状態パラメータ情報である。デバイスの種類が異なると、その設備により収集された情報パラメータも異なる。例えば、スマートコンセントは、コンセント現在のオン・オフ状態を収集することができる。また、スマートカメラは、その監視範囲以内に動く物体が存在するかどうかに関する情報を収集することができる。また、スマートエアコンは、室内の現在の温度及びエアコンの現在のオン・オフ状態を収集することができる。これらの状態パラメータは、全て第１スマートデバイスにより収集された状態パラメータ情報とすることができる。
【００４４】
前記実行タスクは、前記シーンモードをトリガする時、前記少なくとも１つの第２スマートデバイスに出力する該当の制御指令として設定される。デバイスの異なる種類に基づいて、各デバイスの対応する制御指令も異なる。例えば、スマートコンセントは、コンセントのオン・オフ状態を制御することができ、スマートエアコンは、エアコンのオン・オフ状態及び設定温度等を制御することができる。
【００４５】
本開示のシーンモードテンプレートは、上記シーンモードに対応して、サーバ側により予め設定されたいくつかの起動条件及び実行タスクの配置されたシーンモードテンプレートである。これにより、ユーザは、このテンプレートに基づいて、ユーザのユーザアカウントにバインディングされたスマートデバイスに対して直接にシーンモードの設計を行うことができる。
【００４６】
上記したように、前記シーンモードテンプレートは、少なくともバインディングされたスマートデバイスのデバイス情報、及び対応するシーンモードの前記起動条件及び実行タスクを含む。前記バインディングされたスマートデバイスのデバイス種類情報は、対応するシーンモードうち、少なくとも１つの第１スマートデバイス及び少なくとも１つの第２スマートデバイスのデバイス種類情報を含む。
【００４７】
前記少なくとも１つの第１スマートデバイスは、シーンモードの起動条件を実行するためのスマートデバイスであり、前記少なくとも１つの第２スマートデバイスは、シーンモードの実行タスクを実行するためのスマートデバイスである。
【００４８】
上記したように、シーンモードテンプレートには、対応するシーンモードの大部分のコンテンツが予め設定されており、不足なのは、ユーザアカウント情報及びバインディングされたスマートデバイスのデバイス情報におけるデバイスＩＤ情報のみである。前記シーンモード推奨方法は、ユーザアカウントに関連するシーンモードを推奨する過程において、上記不足の部分を自動的に補充することでユーザを支援し、ユーザアカウントと対バインディングされたシーンモードの設定を完了することができる。
【００４９】
本開示により提供されるスマートデバイス用シーンモード推奨方法は、さらに、下記のステップを含む。
【００５０】
前記ユーザアカウントにバインディングされた少なくとも１つのスマートデバイスのデバイス情報を取得するステップは、ユーザアカウントのユーザアカウント情報及び前記ユーザアカウントにバインディングされた少なくとも１つのスマートデバイスのデバイス情報を取得するステップを含み、前記デバイス情報は、少なくともデバイスＩＤ情報及びデバイス種類情報を含む。
【００５１】
前記少なくとも１つのスマートデバイスのデバイス情報に基づいて、前記少なくとも１つのスマートデバイスのデバイス情報とマッチングする所定の少なくとも１つのシーンモードテンプレートを前記ユーザアカウントにプッシュするステップは、取得した前記ユーザアカウントにバインディングされた少なくとも１つのスマートデバイスのデバイス種類情報に基づいて、シーンモードテンプレートの前記バインディングされたスマートデバイスのデバイス種類情報及びマッチング可能なシーンモードテンプレートを選択し、前記ユーザアカウントにプッシュするステップを含む。
【００５２】
前記取得したユーザアカウントに対応するシーンモードの選択情報に基づいて、前記ユーザアカウントにバインディングされたシーンモードを設定するステップは、取得したユーザアカウントに対応するシーンモードテンプレートの選択情報に基づいて、前記シーンモードテンプレートに対応するシーンモードをユーザアカウントにバインディングするように設定し、前記設定されたシーンモードは、前記取得したユーザアカウントにバインディングされた少なくとも１つのスマートデバイスのデバイス情報に基づいて、配置される。
【００５３】
本実施例において、前記シーンモードテンプレートは、スマートデバイスの設備種類に基づいて設計される。異なる種類のスマートデバイスは、異なる状態パラメータ情報を起動条件として提供し、異なる制御指令に対応する。従って、あるシーンモードテンプレートは、特定種類のスマートデバイスにのみ適用でき、他の設備に適用できない。本実施例は、この点を基にして、シーンモードテンプレートの推奨方法を提供する。先ず、ユーザアカウントにバインディングされたスマートデバイスのデバイス情報を取得することで、ユーザの現在所持する設備種類を識別する。また、このデバイス種類情報に基づいて、シーンモードテンプレートライブラリにおいて、抽出を行う。シーンモードテンプレートは、ユーザにより第１スマートデバイス及び第２スマートデバイスの両方にバインディングされた時にのみ、ユーザアカウントにプッシュされる。ユーザがこのシーンモードテンプレートを選択すると、スマートデバイスのデバイス情報からデバイスＩＤ情報を既に取得したため、サーバは、ユーザにより選択されたシーンモードテンプレートに基づいて、ユーザアカウントにバインディングされたシーンモードを設定することができる。ここで、シーンモードのユーザアカウント情報は、ステップ１０２において、アップロードされたユーザアカウント情報であり、第１スマートデバイス及び第２スマートデバイスのデバイス情報は、シーンモードテンプレートにおいて、該当する種類のスマートデバイスのデバイス情報であり、起動条件及び実行タスクは、シーンモードテンプレートに予め設定される。
【００５４】
図２Ａ、２Ｂは、一例示的な実施例によるシーンモード推奨の画面表示例を示す図１、２である。図２Ａ、２Ｂに示すように、本実施例では、「家庭ガード」であるシーンモードを推奨する例として説明する。この「家庭ガード」であるシーンモードは、サーバにより設計されたシーンモードテンプレートである。このシーンモードテンプレートにおいて、設計された第１スマートデバイスの種類は、「小蟻スマートカメラ（小米科技社製）」であり、第２スマートデバイスの種類は、「スマートコンセント」である。また、起動条件は、カメラが通報を行うことであり、実行タスクは、スマートコンセントがオフすることである。ユーザアカウントがスマートデバイスにバインディングされた後、サーバは、ユーザアカウントにバインディングされたスマートデバイスのデバイス種類情報を取得することで、ユーザアカウントに前記「小蟻スマートカメラ」及び前記「スマートコンセント」がバインディングされたか否かを判断する。ユーザアカウントが上記２種類のスマートデバイスの両方にバインディングされたと判断すると、サーバは、検索結果に基づいて、マッチングする「家庭ガード」であるシーンモードテンプレートをユーザにプッシュする。図２Ａに示すように、ユーザは、このシーンモードに対して具体的な設定を行う必要せず、このシーンモードの対応する箇所に、当該シーンモードをオンまたはオフすればよい。ユーザがこの「家庭ガード」であるシーンモードをオンすると、ユーザアカウントにバインディングされた対応するスマートデバイスのデバイス情報に基づいて配置を行うことで、この「家庭ガード」であるシーンモードを自動的に設定することができる。これにより、ユーザアカウントにバインディングされた「小蟻スマートカメラ」及び「スマートコンセント」の２つのスマートデバイスの間の連動制御関係を実現することができる。
【００５５】
図３は、一例示的な実施例によるシーンモードに基づくスマートデバイス制御方法を示すフローチャートである。本実施例では、この制御方法をサーバに適用した例を挙げて説明する。このスマートデバイス制御方法は、下記のステップを含む。
【００５６】
ステップ３０１において、ユーザアカウントにバインディングされた少なくとも１つの第１スマートデバイスにより収集された状態パラメータ情報を取得する。
【００５７】
ステップ３０２において、前記状態パラメータ情報に基づいて、所定のシーンモードをトリガするか否かを判断し、前記シーンモードは、前記少なくとも１つの第１スマートデバイスにより収集された状態パラメータ情報に基づいて、少なくとも１つの第２スマートデバイスに対して操作制御を行うようにトリガする関連関係を記憶するためのものである。
【００５８】
ステップ３０３において、前記シーンモードがトリガされると、前記シーンモードに基づいて、前記ユーザアカウントにバインディングされた前記少なくとも１つの第２スマートデバイスに該当する制御指令を出力することで、前記第２スマートデバイスに対応する操作を行わせるように制御する。
【００５９】
上記したように、本実施例により提供されるスマートデバイス制御方法は、クラウドサーバに予め記憶されているシーンモードを媒介として、異なるスマートデバイスを関連付けする。これにより、異なるスマートデバイスは、シーンモードにより設定された関連関係に基づいて、自動的に連動制御を行う。このスマートデバイスの制御方法によると、互いに独立したスマートデバイスを関連付けし、スマートデバイスの組み合わせにより、スマートデバイスの応用シーンを拡張することができる。
【００６０】
本実施例において、前記スマートデバイスは、スマートインテリア設備である。ここで、このシーンモード推奨方法は、より高い拡張性及び互換性を持ち、インターネット接続機能を有するスマートデバイスであれば、本実施例により提供されるシーンモード推奨方法を採用することができる。
【００６１】
前記シーンモードは、少なくともユーザアカウント情報、バインディングされたスマートデバイスのデバイス情報、起動条件と実行タスクを含む。
【００６２】
バインディングされたスマートデバイスのデバイス情報は、前記ユーザアカウントにバインディングされた少なくとも１つの第１スマートデバイスのデバイス情報と少なくとも１つの第２スマートデバイスのデバイス情報を含む。前記デバイス情報は、デバイスＩＤ情報とデバイス種類情報を含むことができる。前記デバイスＩＤ情報は、設備のＭＡＣアドレス、ＩＰアドレス、デバイスシリアル番号等であってもよい。前記デバイス種類情報は、デバイスの種類を示す情報である。例えば、スマート電源コンセント、スマートカメラ、スマートテレビ、スマートエアコン等の種類である。異なる種類のデバイスは、異なる状態パラメータ情報を収集することができ、異なる制御指令に対応する。
【００６３】
前記起動条件は、前記シーンモードをトリガする条件として設定された前記少なくとも１つの第１スマートデバイスにより収集された状態パラメータ情報である。デバイスの種類が異なると、その設備により収集された情報パラメータも異なる。例えば、スマートコンセントは、コンセント現在のオン・オフ状態を収集することができる。また、スマートカメラは、その監視範囲以内に動く物体が存在するかどうかに関する情報を収集することができる。また、スマートエアコンは、室内の現在の温度及びエアコンの現在のオン・オフ状態を収集することができる。これらの状態パラメータは、全て第１スマートデバイスにより収集された状態パラメータ情報とすることができる。
【００６４】
前記実行タスクは、前記シーンモードをトリガする時、前記少なくとも１つの第２スマートデバイスに出力する該当の制御指令として設定される。デバイスの異なる種類に基づいて、各デバイスの対応する制御指令も異なる。例えば、スマートコンセントは、コンセントのオン・オフ状態を制御することができ、スマートエアコンは、エアコンのオン・オフ状態及び設定温度等を制御することができる。
【００６５】
本実施例において、前記シーンモードにおいて、複数の第１スマートデバイスが設定されている。各第１スマートデバイスに対応する状態パラメータ情報は、それぞれ起動条件においてシーンモードをトリガするか否かを判断するための要素の１つとして機能する。下記において、複数の第１スマートデバイスを有する場合において、シーンモードをトリガする２つの方法を説明する。
【００６６】
方法一：
前記シーンモードは、さらに、起動条件ロジック関係を含む。
【００６７】
前記起動条件ロジック関係は、前記シーンモードをトリガする条件としての各前記第１スマートデバイスにより収集された状態パラメータ情報の間のロジック関係を示す。ここで、ロジック関係は、ロジック「ＡＮＤ」、ロジック「ＯＲ」、又はロジック「ＡＮＤ」とロジック「ＯＲ」の組み合わせから構成されるロジック式である。
【００６８】
前記状態パラメータ情報に基づいて、所定のシーンモードをトリガするか否かを判断するステップは、前記状態パラメータ情報に基づいて、前記少なくとも１つの第１スマートデバイスにより収集された状態パラメータ情報の間に前記起動条件ロジック関係が満たされるか否かを判断する。前記起動条件ロジック関係が満たされた場合、前記シーンモードをトリガする。
【００６９】
この方法によると、各第１スマートデバイスにより収集された状態パラメータ情報を、シーンモードをトリガするか否かを判断する１つの判断要素とすることができる。また、各要素の間のロジック式を設定することで、シーンモードをトリガするか否かを判断するための根拠を成立する。
【００７０】
方法二：
前記シーンモードは、さらに、条件タスク対照表を含む。
【００７１】
前記条件タスク対照表は、少なくとも一組の前記起動条件と実行タスクとの間の対応関係を記憶している。
【００７２】
前記状態パラメータ情報に基づいて、所定のシーンモードをトリガするか否かを判断するステップは、前記状態パラメータ情報に基づいて、前記少なくとも１つの第１スマートデバイスにより収集された状態パラメータ情報が、前記条件タスク対照表の少なくとも一組の起動条件を満たすか否かを判断する。前記条件タスク対照表の少なくとも一組の起動条件を満たした場合、前記条件タスク対照表に基づいて、当該起動条件に対応する実行タスクをトリガする。
【００７３】
この方法によると、シーンモードにおいて条件タスク対照表を設定することで、起動条件と実行タスクとの間の対応関係を特定することができる。この対照表を利用する方式によると、異なる起動条件と異なる実行タスクとを管理を行うことができる。
【００７４】
下記において、本開示による装置の実施例を説明する。この装置は、上記した本開示による方法を実行することができる。下記の装置実施例において説明が省略されている詳細内容に関しては、上記した本開示の方法実施例を参照してください。
【００７５】
図４は、一例示的な実施例による、スマートデバイス用シーンモード推奨装置を示す図である。このスマートデバイスのシーンモード推奨装置４００は、デバイス情報取得モジュール４１０と、シーンモードテンプレート推奨モジュール４２０と、シーンモード設定モジュール４３０とを含む。
【００７６】
デバイス情報取得モジュール４１０は、ユーザアカウントにバインディングされた少なくとも１つのスマートデバイスのデバイス情報を取得する。
【００７７】
シーンモードテンプレート推奨モジュール４２０は、前記少なくとも１つのスマートデバイスのデバイス情報に基づいて、前記少なくとも１つのスマートデバイスのデバイス情報とマッチングする所定の少なくとも１つのシーンモードテンプレートを、前記ユーザアカウントにプッシュする。前記シーンモードテンプレートは、１つのシーンモードに対応しており、前記シーンモードは、少なくとも１つの第１スマートデバイスにより収集された状態パラメータ情報に基づいて、少なくとも１つの第２スマートデバイスに対して操作制御を行うようにトリガする関連関係を記憶するためのものである。
【００７８】
シーンモード設定モジュール４３０は、取得したユーザアカウントに対応するシーンモードの選択情報に基づいて、前記ユーザアカウントにバインディングされたシーンモードを設定する。
【００７９】
選択的に、前記シーンモードは、少なくともユーザアカウント情報、バインディングされたスマートデバイスのデバイス情報、起動条件と実行タスクを含む。
【００８０】
前記バインディングされたスマートデバイスのデバイス情報は、前記ユーザアカウントにバインディングされた少なくとも１つの第１スマートデバイスのデバイス情報と少なくとも１つの第２スマートデバイスのデバイス情報を含む。
【００８１】
前記起動条件は、前記シーンモードをトリガする条件として設定された前記少なくとも１つの第１スマートデバイスにより収集された状態パラメータ情報であり、
前記実行タスクは、前記シーンモードをトリガする時、前記少なくとも１つの第２スマートデバイスに出力する対応制御指令として設定される。
【００８２】
選択的に、前記デバイス情報は、少なくともデバイスＩＤ情報とデバイス種類情報を含み、
前記シーンモードテンプレートは、少なくともバインディングされたスマートデバイスのデバイス種類情報、及び対応するシーンモードの前記起動条件及び実行タスクを含み、
前記バインディングされたスマートデバイスのデバイス種類情報は、対応するシーンモードのうち、少なくとも１つの第１スマートデバイスと少なくとも１つの第２スマートデバイスのデバイス種類情報を含む。
【００８３】
上記したように、本実施例は、スマートデバイス用シーンモード推奨装置を提供する。このシーンモードを媒介とすることで、異なるスマートデバイスを関連付け、異なるスマートデバイスがシーンモードの設定した関連関係に基づいて、自動的に連動制御を行うことができる。このシーンモード推奨方法は、サーバにおいて予め所定数のシーンモードテンプレートを設定し、各シーンモードテンプレートは、１つのシーンモードに対応する。サーバは、取得したユーザアカウントにバインディングされたスマートデバイスのデバイス情報に基づいて、このユーザアカウントに適切なシーンモードテンプレートを特定し、ユーザアカウントにマッチングするシーンモードテンプレートをプッシュする。ユーザアカウントの選択により、最終的にシーンモードの設定を完成する。この方法によると、ユーザは、自分自身にバインディングされたスマートデバイスに基づいて、便利、且つ迅速にシーンモードを設置することができ、具体的な関連関係を設計する設定に参与しなくてもよい。これにより、ユーザが具体的なシーンモードを設計する負担を軽減することができる。
【００８４】
本開示により提供されるスマートデバイス用シーンモード推奨装置４００において、さらに、
前記デバイス情報取得モジュール４１０は、さらに、ユーザアカウントのユーザアカウント情報及び前記ユーザアカウントにバインディングされた少なくとも１つのスマートデバイスのデバイス情報を取得し、前記デバイス情報は、少なくともデバイスＩＤ情報とデバイス種類情報を含む。
【００８５】
前記シーンモードテンプレート推奨モジュール４２０は、さらに、取得した前記ユーザアカウントにバインディングされた少なくとも１つのスマートデバイスのデバイス種類情報に基づいて、シーンモードテンプレートの前記バインディングされたスマートデバイスのデバイス種類情報及びマッチング可能なシーンモードテンプレートを選択し、前記ユーザアカウントにプッシュする。
【００８６】
前記シーンモード設定モジュール４３０は、さらに取得したユーザアカウントに対応するシーンモードテンプレートの選択情報に基づいて、前記シーンモードテンプレートに対応するシーンモードをユーザアカウントとにバインディングするように設定し、前記設定されたシーンモードは、前記取得したユーザアカウントにバインディングされた少なくとも１つのスマートデバイスのデバイス情報に基づいて、配置される。
【００８７】
本実施例は、シーンモード推奨装置４００を提供する。このシーンモード推奨装置は、サーバにおいて予めいくつかのシーンモードテンプレートを設定する。各シーンモードテンプレートは、１つのシーンモードに対応する。このシーンモードテンプレートには、予め第１スマートデバイスと第２スマートデバイスの間の関連関係が設定される。シーンモード推奨装置４００は、取得したユーザアカウンに対応するスマートデバイスのデバイス情報に基づいて、このユーザアカウントに適切なシーンモードテンプレートを特定し、ユーザアカウントにマッチングするシーンモードテンプレートをプッシュする。ユーザアカウントの選択により、最終的にシーンモードの設定を完成する。このシーンモード推奨装置４００によると、ユーザは、自分がバインディングされたスマートデバイスに基づいて、便利、且つ迅速にシーンモードを設置することができ、具体的な関連関係を設計する設定に参与しなくてもよい。これにより、ユーザが具体的なシーンモードを設計する負担を軽減することができる。
【００８８】
図５は、一例示的な実施例によるシーンモードに基づくスマートデバイス制御装置を示す図である。このスマートデバイスの制御装置は、ソフトウェア、ハードウェア、又は両者の組み合わせにより、電子設備の全部又は一部として構成されることができる。このシーンモードに基づくスマートデバイス制御装置５００は、状態パラメータ情報取得モジュール５１０と、シーンモードトリガモジュール５２０と、制御指令送信モジュール５３０とを含む。
【００８９】
状態パラメータ情報取得モジュール５１０は、ユーザアカウントにバインディングされた少なくとも１つの第１スマートデバイスにより収集された状態パラメータ情報を取得する。
【００９０】
シーンモードトリガモジュール５２０は、前記状態パラメータ情報に基づいて、所定のシーンモードをトリガするか否かを判断し、前記シーンモードは、前記少なくとも１つの第１スマートデバイスにより収集された状態パラメータ情報に基づいて、少なくとも１つの第２スマートデバイスに対して操作制御を行うようにトリガする関連関係を記憶する。
【００９１】
制御指令送信モジュール５３０は、前記シーンモードがトリガされると、前記シーンモードに基づいて、前記ユーザアカウントにバインディングされた前記少なくとも１つの第２スマートデバイスに該当する制御指令を出力することで、前記第２スマートデバイスに対応する操作を行わせるように制御する。
【００９２】
選択的に、前記シーンモードは、少なくともユーザアカウント情報、バインディングされたスマートデバイスのデバイス情報、起動条件と実行タスクを含む。
【００９３】
バインディングされたスマートデバイスのデバイス情報は、前記ユーザアカウントにバインディングされた少なくとも１つの第１スマートデバイスのデバイス情報と少なくとも１つの第２スマートデバイスのデバイス情報を含む。
【００９４】
前記起動条件は、前記シーンモードをトリガする条件として設定された前記少なくとも１つの第１スマートデバイスにより収集された状態パラメータ情報である。
【００９５】
前記実行タスクは、前記シーンモードをトリガする時、前記少なくとも１つの第２スマートデバイスに出力する該当の制御指令として設定される。
【００９６】
選択的に、前記シーンモードは、さらに、起動条件ロジック関係を含む。
【００９７】
前記起動条件ロジック関係は、前記シーンモードをトリガする条件としての各前記第１スマートデバイスにより収集された状態パラメータ情報の間のロジック関係を示す。
【００９８】
前記シーンモードトリガモジュール５２０は、ロジック関係判断ユニットを備える。前記ロジック関係判断ユニットは、前記状態パラメータ情報に基づいて、前記少なくとも１つの第１スマートデバイスにより収集された状態パラメータ情報の間に前記起動条件ロジック関係が満たされるか否かを判断し、前記起動条件ロジック関係が満たされた場合、前記シーンモードをトリガする。
【００９９】
選択的に、前記シーンモードは、さらに、条件タスク対照表を含む。
【０１００】
前記条件タスク対照表は、少なくとも一組の前記起動条件と実行タスクとの間の対応関係を記憶している。
【０１０１】
前記シーンモードトリガモジュール５２０は、条件タスク対照表照合ユニットを備える。
【０１０２】
前記条件タスク対照表照合ユニットは、前記状態パラメータ情報に基づいて、前記少なくとも１つの第１スマートデバイスにより収集された状態パラメータ情報が、前記条件タスク対照表の少なくとも一組の起動条件を満たすか否かを判断し、前記条件タスク対照表の少なくとも一組の起動条件を満たした場合、前記条件タスク対照表に基づいて、当該起動条件に対応する実行タスクをトリガする。
【０１０３】
上記したように、本実施例は、スマートデバイスの制御装置を提供する。この装置によると、予め記憶されたシーンモードを媒介として、異なるスマートデバイスを関連付けする。これにより、異なるスマートデバイスは、シーンモードにより設定された関連関係に基づいて、自動的に連動制御を行う。このスマートデバイスの制御装置によると、互いに独立したスマートデバイスを関連付けし、スマートデバイスの組み合わせにより、スマートデバイスの応用シーンを拡張することができる。
【０１０４】
図６は、一例示的な実施例によるスマートデバイス用シーンモード推奨装置６００を示すブロック図である。例えば、装置６００は、サーバであってもよい。図６に示すように、装置６００は、１つ又は複数のプロセッサを含むプロセスアセンブリ６２２と、メモリ６３２が代表となり、例えばアプリケーションなどのプロセスアセンブリ６２２により実行可能な各種コマンドを記憶する記憶媒体ソースと、を備える。メモリ６３２内に記憶されたアプリケーションは、１つ又は１つ以上のモジュールを含み、当該１つ又は１つ以上のモジュールは、それぞれ１組の指令に対応する。また、プロセスアセンブリ６２２は、コマンドを実行するように構成され、これにより、上記スマートデバイス用シーンモード推奨方法を実行する。
【０１０５】
装置６００は、さらに、装置６００の給電管理を行うための電源アセンブリ６２６と、装置６００とネットワークと接続するための有線又は無線のネットワークインターフェース６５０と、入出力（Ｉ／Ｏ）インターフェース６５８とを備える。装置６００は、例えば、ＷｉｎｄｏｗｓＳｅｒｖｅｒＴＭ，Ｍａｃ ＯＳ ＸＴＭ，ＵｎｉｘＴＭ， ＬｉｎｕｘＴＭ，ＦｒｅｅＢＳＤＴＭなどの、メモリ６３２に記憶された操作システムにおいて操作を行うことができる。
【０１０６】
本開示は、さらに非一時的なコンピュータで読み取り可能な記憶媒体を提供する。非一時的なコンピュータで読み取り可能な記憶媒体は、当該記録媒体中の指令が装置６００のプロセッサによって実行される際に、装置６００に図１に示したシーンモード推奨方法を実行させることができる。上記方法は、
ユーザアカウントにバインディングされた少なくとも１つのスマートデバイスのデバイス情報を取得するステップと、
前記少なくとも１つのスマートデバイスのデバイス情報に基づいて、前記少なくとも１つのスマートデバイスのデバイス情報とマッチングする所定の少なくとも１つの、シーンモードに対応するシーンモードテンプレートを、前記ユーザアカウントにプッシュするステップと、
取得したユーザアカウントに対応するシーンモードの選択情報に基づいて、前記ユーザアカウントにバインディングされたシーンモードを設定するステップとを含み、
前記シーンモードは、少なくとも１つの第１スマートデバイスにより収集された状態パラメータ情報に基づいて、少なくとも１つの第２スマートデバイスに対して操作制御を行うようにトリガする関連関係を記憶する。
【０１０７】
本開示は、さらに非一時的なコンピュータで読み取り可能な記憶媒体を提供する。非一時的なコンピュータで読み取り可能な記憶媒体は、当該記録媒体中の指令が装置６００のプロセッサによって実行される際に、装置６００に図３に示したシーンモード推奨方法を実行させることができる。上記方法は、
ユーザアカウントにバインディングされた少なくとも１つの第１スマートデバイスにより収集された状態パラメータ情報を取得するステップと、
前記状態パラメータ情報に基づいて、前記少なくとも１つの第１スマートデバイスにより収集された状態パラメータ情報に基づいて、少なくとも１つの第２スマートデバイスに対して操作制御を行うようにトリガする関連関係を記憶するための所定のシーンモードをトリガするか否かを判断するステップと、
前記シーンモードがトリガされると、前記シーンモードに基づいて、前記ユーザアカウントにバインディングされた前記少なくとも１つの第２スマートデバイスに該当する制御指令を出力することで、前記第２スマートデバイスに対応する操作を行わせるように制御するステップと、を含む。
【０１０８】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１０９】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
0006464183.tif 000002
【図２Ａ】
0006464183.tif 000003
【図２Ｂ】
0006464183.tif 000004
【図３】
0006464183.tif 000005
【図４】
0006464183.tif 000006
【図５】
0006464183.tif 000007
【図６】
0006464183.tif 000008